(57)【要約】【課題】スタンド付電子機器を電子機器本体とスタンドとに分離した状態で梱包し、搬送先でスタンドに電子機器本体を取付ける場合、スタンドの先端が挿入される電子機器本体の挿入穴を目視することができないため、取付作業が煩雑になる、という課題がある。【解決手段】電子機器本体１０１とスタンド１０２を分離した状態で梱包する梱包材に、梱包状態において電子機器本体１０１とスタンド１０２の少なくとも一方の緩衝部材になると共に、電子機器本体１０１とスタンド１０２を組み立てる際に冶具となる緩衝冶具部材３を設けた。そして、この緩衝冶具部材３が、スタンド１０２に係合される係合部７と、スタンド１０２に対する電子機器本体１０１の位置を案内するガイド部８と、を有するように構成した。【選択図】図１４
2008044668.tif 000002
【特許請求の範囲】
【請求項１】
電子機器本体と当該電子機器本体に着脱可能に取り付けられるスタンドとを分離した状態で梱包する梱包材であって、
前記電子機器本体及び前記スタンドを梱包した際に前記電子機器本体と前記スタンドの少なくとも一方の緩衝部材になると共に、前記電子機器本体と前記スタンドを組み立てる際に冶具となる緩衝冶具部材を設け、
前記緩衝冶具部材は、前記スタンドに係合される係合部と、前記スタンドに対する前記電子機器本体の位置を案内するガイド部と、を有することを特徴とする梱包材。
【請求項２】
前記ガイド部は、前記スタンドに対する前記電子機器本体の左右方向の位置を案内する左右方向ガイドと、前記スタンドに対する前記電子機器本体の前後方向の位置を案内する前後方向ガイドと、を有することを特徴とする請求項１記載の梱包材。
【請求項３】
前記左右方向ガイドは、前記ガイド部に設けたガイド凸部又はガイド凹部或いはガイド表示であり、
前記ガイド凸部又は前記ガイド凹部或いは前記ガイド表示の一部に、前記電子機器本体の外装部材に設けられた外装凸部又は外装凹部或いは外装表示の一部を前記左右方向に直交する平面上で一致させることにより、前記スタンドに対する前記電子機器本体の左右方向の位置を案内することを特徴とする請求項２記載の梱包材。
【請求項４】
前記左右方向ガイドは、前記ガイド部に形成した左右方向ガイド面であり、
前記電子機器本体の外装部材に設けられた外装凸部又は外装凹部或いは外装表示の一部を前記左右方向ガイド面を含む平面上に一致させることにより、前記スタンドに対する前記電子機器本体の左右方向の位置を案内することを特徴とする請求項２記載の梱包材。
【請求項５】
前記前後方向ガイドは、前記ガイド部に形成した前後方向ガイド面であり、
前記前後方向ガイド面に前記電子機器本体の背面を当接させるようにして対向させることにより、前記スタンドに対する前記電子機器本体の前後方向の位置決めを行うことを特徴とする請求項２記載の梱包材。
【請求項６】
当該梱包材により梱包される前記スタンドは、載置面に載置されるベース部と、前記ベース部の上面から突出する支柱部と、前記支柱部の前記ベース部と反対側に設けられると共に前記電子機器本体に固定される固定部とを有し、
前記緩衝冶具部材の前記係合部は、前記スタンドの前記支柱部に嵌合可能に形成したことを特徴とする請求項１記載の梱包材。
【請求項７】
前記緩衝冶具部材の前記係合部に、前記ベース部及び前記取付部と係合する複数の突出片を設け、前記取付部を前記ベース部と前記固定部の間に圧入固定することを特徴とする請求項６記載の梱包材。
【請求項８】
前記緩衝冶具部材は、前記電子機器本体及び前記スタンドを梱包した際に前記電子機器本体に嵌合する嵌合溝を有することを特徴とする請求項１記載の梱包材。
【請求項９】
電子機器本体或いは当該電子機器本体に着脱可能に取り付けられるスタンドを梱包するスタンド付電子機器の梱包材であって、
前記電子機器本体或いは前記スタンドの緩衝部材になると共に、前記電子機器本体と前記スタンドを組み立てる際に冶具となる緩衝冶具部材を設け、
前記緩衝冶具部材は、前記スタンドに係合される係合部と、前記スタンドに対する前記電子機器本体の位置を案内するガイド部と、を有することを特徴とする梱包材。
【発明の詳細な説明】
【技術分野】
【０００１】
本発明は、フラット表示パネルを備えた表示装置、スピーカ装置その他の電子機器本体をスタンドで支持するようにしたスタンド付電子機器を梱包する梱包材に関し、特に、電子機器本体とスタンドを分離した状態で梱包する梱包材に関するものである。
【背景技術】
【０００２】
近年、液晶ディスプレイやプラズマディスプレイ等のフラット表示パネルを備えた薄型の表示装置が広く普及している。これらの表示装置は、それ自体で自立することができないため、据え置きとして使用する際には、専用のスタンドで支持されたスタンド付表示装置となる。
【０００３】
このようなスタンド付表示装置は、転倒を防止するために、スタンドの前後方向の大きさが表示装置の前後方向の大きさ（厚み）よりも大きく設定されている。そのため、スタンド付表示装置の梱包は、スタンドの前後方向の大きさに見合った寸法に設定され、大部分の無駄な空間を有した大型のものになっていた。そして、梱包の大きさが大きいと、梱包材のコストの増大や、積載効率の低下による搬送費の増大等を招いて不経済であった。
【０００４】
そこで、梱包の大きさを小型化する対策として、表示装置とスタンドとを分離した状態で梱包することが考えられている。そして、表示装置とスタンドを分離可能なスタンド付表示装置としては、例えば、特許文献１に記載されているようなものがある。
【特許文献１】特開２００６−３０３１５号公報
【０００５】
このようなスタンド付表示装置を表示装置とスタンドとを分離した状態で梱包し、搬送先で一体に組み立てるには、まず、スタンドを載置面に載置する。そして、載置面に載置したスタンドに表示装置を接近させて、スタンドの先端を表示装置の挿入穴に挿入させる。その後、その表示装置の背面側からねじ止めすることにより、スタンドと表示装置が固定されて一体に組み立てられる。
【０００６】
しかしながら、表示装置の挿入穴が底面に設けられているため、スタンドの先端を表示装置の挿入穴に挿入させる際に、その挿入穴を目視することができなかった。そのため、表示装置の挿入穴にスタンドの先端を挿入させることが難しく、作業者に煩雑な思いをさせるという問題があった。
【発明の開示】
【発明が解決しようとする課題】
【０００７】
解決しようとする問題点は、スタンド付電子機器（スタンド付表示装置）を電子機器本体（表示装置本体）とスタンドとに分離した状態で梱包し、搬送先でスタンドに電子機器本体を取付ける場合、スタンドの先端が挿入される電子機器本体の挿入穴を目視することができないため、電子機器本体の挿入穴にスタンドの先端を挿入させることが難しく、取付作業が煩雑になる、という点である。特に、スタンド付表示装置の場合、表示パネルが４０インチ以上の大型の表示装置本体が普及しているが、このような大型の表示装置本体に対するスタンド取付作業は、作業性が悪いという問題があった。
【０００８】
本発明の目的は、上述の問題点を考慮し、搬送先で電子機器本体とスタンドとを組み立てる際に、スタンドに対する電子機器本体の位置決めを行うことができる梱包材を提供することにある。
【課題を解決するための手段】
【０００９】
上記の目的を達成するために本発明は、電子機器本体とその電子機器本体に着脱可能に取り付けられるスタンドとを分離した状態で梱包する梱包材であって、電子機器本体及びスタンドを梱包した際に電子機器本体とスタンドの少なくとも一方の緩衝部材になると共に、電子機器本体とスタンドを組み立てる際に冶具となる緩衝冶具部材を設け、緩衝冶具部材は、スタンドに係合される係合部と、スタンドに対する電子機器本体の位置を案内するガイド部と、を有することを最も主要な特徴とする。
【発明の効果】
【００１０】
本発明の梱包材によれば、搬送先で電子機器本体とスタンドとを組み立てる際に、スタンドに対する電子機器本体の位置決めを行うことができ、電子機器本体とスタンドとを簡単且つ円滑に組み立てることができる。
【発明を実施するための最良の形態】
【００１１】
以下、本発明の梱包材を実施するための最良の形態について、図面を参照して説明するが、本発明は以下の形態に限定されるものではない。
【００１２】
図１〜図１６は、本発明の実施の形態の例を説明するものである。即ち、図１は本発明の梱包材の第１の実施の形態を説明する説明図、図２は本発明の梱包材によって梱包されるスタンド付電子機器を正面から見た斜視図、図３は図２に示すスタンド付電子機器を電子機器本体とスタンドとに分離して背面から見た斜視図、図４は電子機器本体とスタンドの取付部分を拡大した説明図である。
【００１３】
図５は本発明の梱包材に係る緩衝冶具部材を正面から見た斜視図、図６は同じく背面から見た斜視図、図７は正面図、図８は右側面図、図９は平面図、図１０は底面図、図１１スタンドに緩衝冶具部材を係合させる状態を説明する説明図、図１２は緩衝冶具部材をスタンドに係合させた状態を上方から見た説明図、図１３は同じく右側方か見た説明図、図１４は緩衝冶具部材をガイドにして電子機器本体をスタンドに取付ける状態の説明図、図１５は緩衝冶具部材によりスタンドに対する電子機器本体の左右方向の位置を案内する状態の説明図、図１６は同じく前後方向の位置を案内する状態の説明図である。
【００１４】
図１は、本発明の梱包材の第１の実施の形態を示す梱包材１である。この梱包材１は、スタンド付電子機器の一具体例を示すスタンド付表示装置１００を、表示装置本体１０１とスタンド１０２に分離した状態で梱包するものである。この梱包材１に梱包されたスタンド付表示装置１００は、搬送先で梱包材１が取り外された後、スタンド１０２に表示装置本体１０１が取り付けられて一体に組み立てられるようになっている。
【００１５】
ここで、梱包材１に梱包されるスタンド付表示装置１００について説明する。図２〜図４に示すスタンド付表示装置１００は、テレビジョン受像機として画像を表示するものであり、いわゆる薄型の画像表示装置である。このスタンド付表示装置としては、例えば、プラズマディスプレイテレビ、液晶ディスプレイテレビ、その他の画像を表示可能な表示装置を挙げることができる。
【００１６】
しかしながら、本発明に係るスタンド付電子機器としては、上記したスタンド付表示装置に限定されるものではない。例えば、スピーカを筐体内に収納してスタンドで支持したスタンド付スピーカ装置等のように着脱可能なスタンドを用いて電子機器本体を支持する各種の電子機器を適用することができるものである。
【００１７】
図２に示すように、スタンド付表示装置１００は、画像が表示される表示画面１０４を有する表示装置本体（電子機器本体）１０１と、この表示装置本体１０１を下方から支持するスタンド１０２等を備えて構成されている。表示装置本体１０１は、横長の略長方形に形成された薄型の扁平体をなしており、正面とされる一方の平面に表示画面１０４が設けられている。
【００１８】
図３に示すように、表示装置本体１０１の背面の略中央部には、第１の凹部１０５が設けられている。この第１の凹部１０５には、ビデオテープレコーダやＤＶＤレコーダ等の外部装置と表示装置本体１０１とを電気的に接続する複数の接続端子１０５ａが設けられている。更に、表示装置本体１０１の背面には、第１の凹部１０５の下側に第２の凹部１０６が設けられている。
【００１９】
第２の凹部１０６は、略長方形に形成されており、表示装置本体１０１の幅方向に延在される２つの短辺１０６ａ，１０６ｂと、これら２つの短辺１０６ａ，１０６ｂにそれぞれ直交する２つの長辺１０６ｃ，１０６ｄを有している。この第１の凹部１０６の２つの短辺１０６ａ，１０６ｂは、外装凹部の一具体例を示すものである。即ち、２つの短辺１０６ａ，１０６ｂは、表示装置本体１０１とスタンド１０２を組み立てる際に、梱包材１の後述する緩衝冶具部材３に設けられた一対の左右方向ガイド片１６ａ，１６ｂにそれぞれ同一平面上で一致される。
【００２０】
図４に示すように、表示装置本体１０１の底面には、スタンド１０２の後述する取付部１１３が挿入される挿入穴１０７が設けられている。この挿入穴１０７に挿入されたスタンド１０２の取付部１１３は、表示装置本体１０１の内部に設けられた図示しないシャーシ部に当接される。そして、表示装置本体１０１の背面側から固定ねじを挿入して取付部１１３をシャーシ部にねじ止めすることにより、表示装置本体１０１とスタンド１０２が一体に組み立てられるようになっている。
【００２１】
図３及び図４に示すように、スタンド１０２は、載置面に載置されるベース部１１１と、このベース部１１１の上面から突出する支柱部１１２と、支柱部１１２のベース部１１１と反対側に設けられると共に表示装置本体１０１のシャーシ部にねじ止めされる取付部１１３等を備えて構成されている。スタンド１０２のベース部１１１は略楕円形をした平板状の部材からなり、その上面の略中央部に、略円柱状をした支柱部１１２が設けられている。
【００２２】
また、スタンド１０２の取付部１１３は、正面側に開口された横長の筐体部と、その筐体部に連続して正面側に展開される３つの展開部を有している。この取付部１１３の底面は略長方形とされていて、長手方向の両端部が支柱部１１２の上面からはみ出すように設定されている。そして、支柱部１１２の上面からはみ出した取付部１１３の底面には、略楔形に形成された部材からなる一対の化粧部材１１５ａ，１１５ｂがそれぞれ取付けられている。
【００２３】
図１に示すように、スタンド付表示装置１００を梱包する梱包材１は、分離させた状態の表示装置本体１０１とスタンド１０２を覆う梱包箱２と、この梱包箱２と表示装置本体１０１との間隙に配置される緩衝冶具部材３と、表示装置本体１０１及びスタンド１０２と梱包箱２との間隙に配置される複数の緩衝部材４とを備えて構成されている。
【００２４】
梱包材１の梱包箱２は、下面に開口された中空の筐体からなる上部材２ａと、この上部材２ａの開口された下面を塞ぐ略平板状の下部材２ｂとから構成されている。この梱包箱２は、緩衝冶具部材３及び複数の緩衝部材４が嵌合されて一体的に構成された表示装置本体１０１とスタンド１０２を下部材２ｂの上に載せて、上方から上部材２ａを被せることにより、表示装置本体１０１及びスタンド１０２を覆うようになっている。
【００２５】
梱包材１の複数の緩衝部材４は、表示装置本体１０１を正面側から見て左側（図１において右側）の２つの角部に嵌合される左側緩衝部材４ａ，４ｂと、表示装置本体１０１右側（図１において左側）の２つの角部に嵌合されると共にスタンド１０２の長手方向の両端にそれぞれ嵌合される右側緩衝部材４ｃ，４ｄと、表示装置本体１０１の下部の略中央部に嵌合される下側緩衝部材４ｅとから構成されている。
【００２６】
梱包部１の緩衝冶具部材３は、スタンド付表示装置１００を梱包した状態において、表示装置本体１０１の上部の略中央部に嵌合され、表示装置本体１０１に加わる衝撃を和らげる緩衝部材として用いられる。また、緩衝冶具部材３は、搬送先で表示装置本体１０１とスタンド１０２を組み立てる際にスタンド１０２に係合され、そのスタンド１０２に対する表示装置本体１０１の位置を案内する冶具として用いられる。
【００２７】
図５〜図１０に示すように、緩衝冶具部材３は、表示装置本体１０１とスタンド１０２を組み立てる際にスタンド１０２に係合される係合部７と、この係合部７の一側に連続されると共に表示装置本体１０１とスタンド１０２を組み立てる際にスタンド１０２に対する表示装置本体１０１の位置を案内するガイド部８とを備えて構成されている。
【００２８】
緩衝冶具部材３の係合部７は、略長方形の板状に形成された部材からなり、一方の長辺にガイド部８が連続されている。係合部７の他方の長辺には、スタンド１０１の支柱部１１２に嵌合される切欠き１１が設けられている。この切欠き１１は、他方の長辺の略中央部に開口されており、スタンド１０２の支柱部１１２の形状に見合った略円形に形成されている。
【００２９】
また、係合部７の上面には、長手方向に所定の間隔をあけてそれぞれ略垂直に突出する一対の第１突出片１２ａ，１２ｂが設けられている。一対の第１突出片１２ａ，１２ｂは、切欠き１１が開口される長辺にそれぞれ連続して形成されていて、切欠き１１を挟むように配置されている。これら一対の第１突出片１２ａ，１２ｂは、緩衝冶具部材３をスタンド１０２に係合させた状態において、スタンド１０２の取付部１１に取付けた一対の化粧部材１１５ａ，１１５ｂに係合される。
【００３０】
更に、係合部７の下面には、切欠き１１を挟むように配置された一対の第２突出片１３ａ，１３ｂが設けられている。これら一対の第２突出片１３ａ，１３ｂは、一対の第１突出片１２ａ，１２ｂと同様に、切欠き１１が開口される長辺にそれぞれ連続して形成されていて、その間隔は、一対の第１突出片１２ａ，１２ｂの間隔よりも狭く設定されている。各第２突出片１３ａ，１３ｂは、緩衝冶具部材３をスタンド１０２に係合させた状態において、スタンド１０２のベース部１１１に係合される。
【００３１】
緩衝冶具部材３のガイド部８は、横長の直方体状に形成された部材からなり、長手方向の一側が係合部７の一方の長辺に連続されている。このガイド部８の上面には、スタンド付表示装置１００を梱包する際に、表示装置本体１０１の上部の略中央部に嵌合される嵌合溝１５が設けられている。この嵌合溝１５は、表示装置本体１０１に見合った形状に形成されており、ガイド部８の幅方向の一端から他端に達するまで連続されている。
【００３２】
更に、ガイド部８の上面には、緩衝冶具部材３をスタンド１０２に係合させた状態において、そのスタンド１０２に対する表示装置本体１０１の左右方向（長手方向）の位置を案内する左右方向ガイドの一具体例を示す一対の左右方向ガイド片１６ａ，１６ｂが設けられている。これら一対の左右方向ガイド片１６ａ，１６ｂは、ガイド部８の長手方向の両端に配置されていて、それぞれ幅方向に所定距離だけ延在されている。
【００３３】
一対の左右方向ガイド片１６ａ，１６ｂは、それぞれガイド部８の幅方向に延在された三角柱状に形成されており、ガイド部８の上面と反対側の各先端部は角状とされている。そして、一対の左右方向ガイド片１６ａ，１６ｂの各先端部間の距離は、表示装置本体１０１の背面に設けた第２の凹部１０６の２つの短辺１０６ａ，１０６ｂ間の距離と略同一に設定されている。これら一対の左右方向ガイド片１６ａ，１６ｂの各先端部に、表示装置本体１０１に設けた第２の凹部１０６の２つの短辺１０６ａ，１０６ｂを同一平面状で一致させることにより、スタンド１０２に対する表示装置本体１０１の左右方向の位置が案内される。
【００３４】
また、ガイド部８の係合部７側の側面は、緩衝冶具部材３をスタンド１０２に係合させた状態において、そのスタンド１０２に対する表示装置本体１０１の前後方向の位置を案内する前後方向ガイドの一具体例を示す前後方向ガイド面１８とされている。ガイド部８の前後方向ガイド面１８は、係合部７の上面に連続して略垂直に立ち上がるように形成されている。この前後方向ガイド面１８に表示装置本体１０１の背面を当接させるようにして対向させることにより、スタンド１０２に対する表示装置本体１０１の前後方向の位置が案内される。
【００３５】
図７及び図１０等に示すように、ガイド部８の底面には、長手方向の略中央部に配置されて略垂直に突出する第３突出片１９が設けられている。この第３突出片１９は、緩衝冶具部材３をスタンド１０２に係合させた状態において、スタンド１０２のベース部１１１に当接される。
【００３６】
このような緩衝冶具部材３の材料としては、ポリスチレン等の合成樹脂に気泡を含ませて硬化した、いわゆる発泡スチロールを挙げることができる。しかしながら、本発明に係る緩衝冶具部材の材料としては、発泡スチロールに限定されるものではなく、例えば、ダンボール、パルプモールドその他緩衝材に使用される各種の材料を適用することができるものである。
【００３７】
上述したような構成を有する梱包材１によれば、例えば、次のようにして表示装置本体１０１とスタンド１０２を組み立てる際の冶具として用いることができ、スタンド付表示装置を簡単に組み立てることができる。まず、梱包材１の梱包箱２を開封して、表示装置本体１０１とスタンド１０２に分離した状態のスタンド付表示装置１００を取り出す。即ち、図１に示すように、梱包箱２の上部材２ａを上方に引き上げて緩衝冶具部材３及び複数の緩衝部材４が嵌合された状態の表示装置本体１０１とスタンド１０２を露出させる。
【００３８】
次に、表示装置本体１０１及びスタンド１０２から緩衝冶具部材３及び緩衝部材４ａ，４ｃを取り外す。この際、緩衝冶具部材３は、後に表示装置本体１０１とスタンド１０２とを組み立てるときの冶具として使用するため、捨てずに保管しておく。続いて、スタンド１０２を緩衝部材４ｄから取り外して載置面２１（図１６等に示す）に載置する。
【００３９】
次に、保管しておいた緩衝冶具部材３をスタンド１０２に係合させる。このとき、まず、図１１に示すように、緩衝冶具部材３の係合部７に設けた切欠き１１と、スタンド１０２に設けた支柱部１１２の後ろ側を対向させて、緩衝冶具部材３の係合位置を調整する。続いて、スタンド１０２に緩衝冶具部材３を接近させ、図１２に示すように、支柱部１１２に切欠き１１を嵌合させる。
【００４０】
このとき、緩衝冶具部材３の係合部７に設けた一対の第１突出片１２ａ，１２ｂが、スタンド１０２の一対の化粧部材１１５ａ，１１５ｂに係合する（図１３において第１突出片１２ｂ及び化粧部材１１５ｂを示す）。これと同時に、係合部７に設けた一対の第２突出片１３ａ，１３ｂが、スタンド１０２のベース部１１１に係合する（図１３において第２突出片１３ｂを示す）。
【００４１】
これにより、各突出片１２ａ，１２ｂ，１３ａ，１３ｂがそれぞれ少し潰された状態になり、緩衝冶具部材３の係合部７は、一対の化粧部材１１５ａ，１１５ｂとベース部１１１の間に圧入固定される。その結果、緩衝冶具部材３の係合部７をスタンド１０２にしっかりと固定することができ、緩衝冶具部材３とスタンド１０２の係合位置がずれる心配がない。そのため、緩衝冶具部材３は、表示装置本体１０１をスタンド１０２に精度良く案内することができる。
【００４２】
更に、この際、緩衝冶具部材３のガイド部８に設けた第３突出片１９が、スタンド１０２のベース部１１１に係合する。これにより、緩衝冶具部材３は、ガイド部８の前後方向ガイド面１８が載置面２１に対して略垂直な状態でスタンド１０２に安定して固定される。その結果、緩衝冶具部材３は、前後方向ガイド面１８によって、表示装置本体１０１をスタンド１０２に精度良く案内することができる。
【００４３】
次に、図１４に示すように、緩衝部材４ｂ，４ｄ，４ｅを取り外した表示装置本体１０１を緩衝冶具部材３が係合されたスタンド１０２に組み付ける。即ち、表示装置本体１０１の底面を緩衝冶具部材３が係合されたスタンド１０２に接近させ、表示装置本体１０１の底面に設けた挿入穴１０７にスタンド１０２の取付部１１３を挿入させる。
【００４４】
この際、図１５に示すように、緩衝冶具部材３のガイド部８に設けた一対の左右方向ガイド片１６ａ，１６ｂの各先端部に、表示装置本体１０１の背面に設けた第２の凹部１０６の２つの短辺１０６ａ，１０６ｂを一致させる。即ち、一対の左右方向ガイド片１６ａ，１６ｂの各先端部に、第２の凹部１０６の２つの短辺１０６ａ，１０６ｂを表示装置本体１０１の左右方向に直交する平面上で一致させる。これにより、載置面２１（図１６等に示す）に載置されたスタンド１０２に対する表示装置本体１０１の左右方向の位置が案内される。
【００４５】
更に、図１６に示すように、緩衝冶具部材３のガイド部８に設けた前後方向ガイド面１８に表示装置本体１０１の背面を当接させるようにして対向させる。これにより、載置面２１に載置されたスタンド１０２に対する表示装置本体１０１の前後方向の位置が案内される。その結果、表示装置本体１０１の挿入穴１０７とスタンド１０２の取付部１１３が対向され、挿入穴１０７に取付部１１３を極めて容易に挿入することができる。
【００４６】
また、載置面２１に対して略垂直に設定された前後方向ガイド面１８に表示装置本体１０１の背面を対向させるため、表示装置本体１０１が前後方向に傾くことを防止することができる。その結果、取付部１１３に対して挿入穴１０７が傾く心配がなく、取付部１１３の挿入を簡単に行うことができる。
【００４７】
次に、スタンド１０２から緩衝冶具部材３を取り外す。その後、表示装置本体１０１の背面側から図示しない固定ねじを挿入して、スタンド１０２の取付部１１３を表示装置本体１０１の図示しないシャーシ部にねじ止めする。これにより、スタンド１０２に表示装置本体１０１が取り付けられ、図２に示すスタンド付表示装置１００の組み立てが完了する。
【００４８】
本実施の形態では、スタンド付表示装置１００を表示装置本体１０１とスタンド１０２に分離させた状態で一緒に梱包する梱包材として梱包材１を例に説明したが、本発明に係る梱包材としては、これに限定されるものではない。例えば、スタンド付表示装置１００を表示装置本体１０１とスタンド１０２に分離させて、表示装置本体１０１のみを梱包する梱包材に適用してもよく、また、スタンド１０２のみを梱包する梱包材に適用してもよい。
【００４９】
また、本発明に係る梱包材としては、梱包箱と緩衝部材と緩衝冶具部材を用いる構成に限定されるものではなく、１又は２以上の緩衝部材と緩衝冶具部材によって構成したり、梱包箱と緩衝冶具部材によって構成したりすることもできる。
【００５０】
また、本実施の形態では、梱包状態において、緩衝冶具部材３を表示装置本体１０１に嵌合させる構成としたが、スタンド１０２に嵌合させる構成とすることができることは勿論、表示装置本体１０１とスタンド１０２の両方に嵌合させる構成としてもよい。
【００５１】
更に、本発明に係る緩衝冶具部材としては、表示装置本体１０１やスタンド１０２に嵌合させる構成とすることに限定されるものではない。例えば、表示装置本体１０１或いはスタンド１０２と梱包箱２との間隙に配置する構成とすることができることは勿論、表示装置本体１０１とスタンド１０２との間隙に配置する構成としてもよい。
【００５２】
また、本実施の形態では、左右方向ガイドの一具体例として、ガイド部８の上面から突出するように形成した一対の左右方向ガイド片１６ａ，１６ｂを設ける構成としたが、これに限定されるものではない。本発明に係る左右方向ガイドとしては、例えば、ガイド部８の上面に凹部を設けることにより構成することができることは勿論、線や記号等の表示を設けることにより構成してもよい。
【００５３】
更に、本発明に係る左右方向ガイドは、左右方向ガイド面を形成することにより構成してもよい。本実施の形態においては、例えば、ガイド部８の長手方向に直交する２つの側面を左右方向ガイド面とすることができる。この場合、ガイド部８の長手方向の大きさ（距離）を表示装置本体１０１の背面に設けられた第２の凹部１０６の２つの短辺１０６ａ，１０６ｂ間の距離と略同一に設定する。
【００５４】
以上説明したように、本発明の梱包材によれば、搬送先で電子機器本体とスタンドとを組み立てる際に、緩衝冶具部材によってスタンドに対する電子機器本体の位置を案内することができ、電子機器本体の位置決めを簡単に行うことができる。その結果、電子機器本体とスタンドの組立作業を極めて容易に、且つ、円滑に行うことができる。
【００５５】
しかも、搬送後にその役割を終える緩衝部材を、電子機器本体とスタンドとを組み立てる際の冶具として利用するため、別の付属品として冶具を用意する必要がなく、コストアップを防ぐことができる。
【００５６】
本発明は、前述しかつ図面に示した実施の形態に限定されるものではなく、その要旨を逸脱しない範囲内で種々の変形実施が可能である。例えば、前記実施の形態においては、スタンド付電子機器としてスタンド付表示装置を適用した例について説明したが、スタンド付スピーカ装置、スタンド付照明装置、その他のスタンドを用いる各種の電子機器に適用できるものである。
【図面の簡単な説明】
【００５７】
【図１】本発明の梱包材の第１の実施の形態を示すもので、スタンド付電子機器を梱包した状態を説明する説明図である。
【図２】図１に示す梱包材によって梱包されるスタンド付電子機器を正面から見た斜視図である。
【図３】図２に示すスタンド付電子機器を電子機器本体とスタンドとに分離して背面から見た斜視図である。
【図４】図２に示す電子機器本体とスタンドとの取付部分を拡大した説明図である。
【図５】図１に示す梱包材に係る緩衝冶具部材を正面側から見た斜視図である。
【図６】図１に示す梱包材に係る緩衝冶具部材を背面側から見た斜視図である。
【図７】図１に示す梱包材に係る緩衝冶具部材の正面図である。
【図８】図１に示す梱包材に係る緩衝冶具部材の右側面図である。
【図９】図１に示す梱包材に係る緩衝冶具部材の平面図である。
【図１０】図１に示す梱包材に係る緩衝冶具部材の底面図である。
【図１１】図１に示す梱包材に係る緩衝冶具部材を冶具として用いた電子機器本体とスタンドとの組み立てを説明するものであり、スタンドに緩衝冶具部材を係合させる状態を説明する説明図である。
【図１２】図１に示す梱包材に係る緩衝冶具部材をスタンドに係合させた状態を上方から見た説明図である。
【図１３】図１に示す梱包材に係る緩衝冶具部材をスタンドに係合させた状態を右側方から見た説明図である。
【図１４】図１に示す梱包材に係る緩衝冶具部材を冶具として用いた電子機器本体とスタンドとの組み立てを説明するものであり、スタンドに係合させた緩衝冶具部材をガイドにして、電子機器本体をスタンドに取付ける状態を説明する説明図である。
【図１５】図１に示す梱包材に係る緩衝冶具部材によってスタンドに対する電子機器本体の左右方向の位置を案内する状態を説明する説明図である。
【図１６】図１に示す梱包材に係る緩衝冶具部材によってスタンドに対する電子機器本体の前後方向の位置を案内する状態を説明する説明図である。
【符号の説明】
【００５８】
１…梱包材、  ２…梱包箱、  ３…緩衝冶具部材、  ４ａ，４ｂ，４ｃ，４ｄ，４ｅ…緩衝部材、  ７…係合部、  ８…ガイド部、  １１…切欠き、  １２ａ，１２ｂ…第１突出片、  １３…第２突出片、  １５…嵌合溝、  １６ａ，１６ｂ…左右方向ガイド片、  １８…前後方向ガイド面、  １９…第３突出片、  １００…スタンド付表示装置（スタンド付電子機器）、  １０６ａ，１０６ｂ…短辺、  １０７…挿入穴、  １１１…ベース部、  １１２…支柱部、  １１３…取付部、  １１５ａ，１１５ｂ…化粧部材
【図１】
2008044668.tif 000003
【図２】
2008044668.tif 000004
【図３】
2008044668.tif 000005
【図４】
2008044668.tif 000006
【図５】
2008044668.tif 000007
【図６】
2008044668.tif 000008
【図７】
2008044668.tif 000009
【図８】
2008044668.tif 000010
【図９】
2008044668.tif 000011
【図１０】
2008044668.tif 000012
【図１１】
2008044668.tif 000013
【図１２】
2008044668.tif 000014
【図１３】
2008044668.tif 000015
【図１４】
2008044668.tif 000016
【図１５】
2008044668.tif 000017
【図１６】
2008044668.tif 000018